(57)【要約】【課題】光源の長寿命化及び省電力化を図ることができるとともに、照射面の照度を高めることができる携帯用照明装置を提供する。【解決手段】高輝度発光ダイオード１１を用いて構成した単一の発光部１２を有する光源１０と、発光部１２から放射状に発する光のうち光出射口４１へ向かう方向とは異なる方向に進む光を光出射口４１に向けて反射するように形成した反射面２０ａを有する光反射部材２０と、光源１０に電流を供給する電源３０とを備える。光源１０又は光反射部材２０は、光源１０の中心と光出射口４１の中心とを通る中心軸線Ｃに沿って相対移動可能に構成してもよい。【選択図】　図１
0003098589.tif 000002
【実用新案登録請求の範囲】
【請求項１】
高輝度発光ダイオードを用いて構成した単一の発光部を有する光源と、
該発光部から放射状に発する光のうち光出射口へ向かう方向とは異なる方向に進む光を該光出射口に向けて反射するように形成した反射面を有する光反射部材と、
該光源に電流を供給する電源とを備えたことを特徴とする携帯用照明装置。
【請求項２】
請求項１の携帯用照明装置において、
上記光源又は上記光反射部材を、該光源の中心と上記光出射口の中心とを通る中心軸線に沿って相対移動可能に構成したことを特徴とする携帯用照明装置。
【考案の詳細な説明】
【０００１】
【考案の属する技術分野】
本考案は、携帯して持ち運び可能な携帯用照明装置に関するものである。
【０００２】
【従来の技術】
従来、この種の携帯用照明装置としては、電球からなる光源を備えた照明装置が知られている。ところが、電球を用いた場合は、光源の寿命が短く、消費電力も大きいという問題点があった。
そこで、最近では、電球よりも寿命が長く消費電力も小さな発光ダイオードを用いて発光部を構成した携帯用照明装置もある。この携帯用照明装置の光源は、発光ダイオードからなる発光部が複数並べて配置され、各発光部から発した光を光出射口から出射するものである。
【０００３】
【考案が解決しようとする課題】
しかしながら、上記発光ダイオードからなる発光部が複数並べて配置された光源を備えた携帯用照明装置では、複数の発光部それぞれから互いに異なる経路で光を放射状に発する。そのため、各発光部からの光を同じ照射面に重ねて当てて照射面の照度を高めることが難しいという問題点があった。
【０００４】
本考案は以上の問題点に鑑みなされたものであり、その目的は、光源の長寿命化及び省電力化を図ることができるとともに、照射面の照度を高めることができる携帯用照明装置を提供することである。
【０００５】
【課題を解決するための手段】
上記目的を達成するために、請求項１の考案は、高輝度発光ダイオードを用いて構成した単一の発光部を有する光源と、該発光部から放射状に発する光のうち光出射口へ向かう方向とは異なる方向に進む光を該光出射口に向けて反射するように形成した反射面を有する光反射部材と、該光源に電流を供給する電源とを備えたことを特徴とするものである。
この携帯用照射装置においては、電源から光源の高輝度発光ダイオードに電流を供給すると、その高輝度発光ダイオードを用いて構成された単一の発光部から放射状に光を発する。この発光部から放射状に発する光のうち発光部から光出射口に向かう光は、そのまま光出射口から出射する。一方、発光部から光出射口へ向かう方向とは異なる方向に向かう光は、光反射部材の反射面で反射し、光出射口に向かって進んで光出射口から出射する。この発光部から光出射口に直接向かって出射した光と、反射面で反射して光出射口から出射した光とが、同じ照射面上に重ね合わされて照射される。
【０００６】
請求項２の考案は、請求項１の携帯用照明装置において、上記光源又は上記光反射部材を、該光源の中心と上記光出射口の中心とを通る中心軸線に沿って相対移動可能に構成したことを特徴とするものである。
この携帯用照明装置においては、光源又は光反射部材を、光源の中心と光出射口の中心とを通る中心軸線に沿って相対移動すると、発光部から光照射部材の反射面上の各部に入射する光の入射角度が変化する。すると、反射面上の各部で反射される光の反射角度が変化し、反射面で反射して光出射口から出射する光の上記軸に対する出射角度が変化する。これにより、光照射部材の反射面で反射して照射面に照射される光の照射面積が変化する。
【０００７】
【考案の実施の形態】
以下、図面を参照しながら、本考案を実施の形態について説明する。
図１は、本実施形態に係る携帯用照明装置の概略構成を示す断面図である。この携帯用照明装置１は、光源１０と光反射部材２０と電源３０とを備えている。これらの光源１０、光反射部材２０及び電源３０は、端部に光出射口４１を有する円筒状のケース部材４０の内部に設けられている。このケース部材４０の光出射口４１には、無色透明ガラス等からなるカバー部材４２が取り付けられている。また、ケース部材４０の光出射口４１とは反対側には、電池交換用の着脱可能な蓋部材４３が設けられている。
【０００８】
光源１０は、白色光を発することができる発光ダイオード（以下「ＬＥＤ」という。）１１を用いて構成した単一の発光部１２を有している。上記ＬＥＤ１１は、数千ｍｃｄ（ミリカンデラ）程度の光度を有するフラット形状の超高輝度白色ＬＥＤである。このＬＥＤ１１は、発光面側に無色透明のレンズ部材１３が設けられ、ＬＥＤ１１からの光がθ＝１００〜１５０度程度の角度で放射状に発する指向特性を有している。また、ＬＥＤ１１の発光面とは反対側のベース面には、ＬＥＤ１１に生じた熱を放熱するためのヒートシンク１４を密着させている。このヒートシンク１４は熱伝導率が大きな材料（例えばアルミ等の金属材料）で形成され、その外周縁部が、ケース部材４０の内側に突起した支持部４０ａによって支持されている。
【０００９】
光反射部材２０は、図２に示すように発光部１２から放射状に発する光のうち光出射口４１へ向かう方向とは異なる方向に進む光Ｌ１を光出射口４１に向けて反射するように所定の曲率で形成した鏡面加工の反射面２０ａを有している。なお、図２では発光部１２の中心の発光点から発した光についてのみ示しているが、実際は面状の発光部１２の全体から光を発している。
【００１０】
電源３０は、光源１０に電流を供給するものであり、電池３１と、ＬＥＤ駆動回路を有する基板３２と、スイッチ３３とを用いて構成されている。
【００１１】
上記構成の携帯用照明装置１において、スイッチ３３をオンして電源３０から光源１０の高輝度ＬＥＤ１１に電流を供給すると、その高輝度ＬＥＤ１１を用いて構成された単一の発光部１２から放射状に光を発する。この発光部１２から放射状に発する光のうち発光部１２から光出射口４１に向かう光Ｌ２は、そのまま光出射口４１から出射する。一方、発光部１２から光出射口４１とは異なる方向に向かう光Ｌ１は、光反射部材２０の反射面２０ａで反射し、光出射口４１に向かって進んで光出射口４１から出射する。この発光部１２から光出射口４１に直接向かって出射した光Ｌ２と、反射面２０ａで反射して光出射口４１から出射した光とが、同じ照射面上に重ね合わされて照射される。
【００１２】
以上、本実施形態によれば、光源１０にＬＥＤ１１を用いているので、電球を用いた場合に比して光源の長寿命化及び省電力化を図ることができる。しかも、光源１０のＬＥＤとして高輝度ＬＥＤを用いることにより発光部１２の輝度を高めつつ、その発光部１２からの直接光Ｌ２と光反射部材２０による反射光Ｌ１とを同じ照射面上に重ね合わされて照射することができるので、照射面の照度を高めることができる。
【００１３】
なお、上記実施形態において、光源１０及び光反射部材２０の少なくとも一方を、光源１０の中心と光出射口４１の中心とを通る中心軸線Ｃに沿って移動可能に構成してもよい。
図３は、光反射部材２０を移動可能に構成した携帯型照明装置１の一構成例を示す部分断面図である。この構成例では、ケース部材４０を、ヒートシンク１４を支持する支持部４４ａを有するケース本体部４４と、光出射口４１を有する回転可動部４５とにより構成している。これらのケース本体部４４及び回転可動部４５の互いに係合する部分にはそれぞれ、互いに螺合する螺子部４４ｂ、４５ｂが形成されている。また、回転可動部４５の内面側には、光反射部材２０の光出射口４１側への移動を規制して止めるように突起状の係止部４５ａが形成されている。そして、光反射部材２０の外周面に形成された段付きの肉厚部２０ｂと、ケース本体部４４の支持部４４ａに支持されているヒートシンク１４の外周縁部との間には、スプリング５０が圧縮状態で設けられている。このスプリング５０により、光反射部材２０を光出射口４１側に付勢している。
【００１４】
図３の構成において、使用者がケース本体部４４を保持した状態で回転可動部４５を図中矢印Ａで示すように回転させると、回転可動部４５が中心軸線Ｃに沿ってケース本体部４４に対し離接するように移動する（図中矢印Ｂ参照）。この回転可動部４４の移動により、光照射部材２０が中心軸線Ｃに沿って光源１０に対し離接するように相対移動し、発光部１２から光照射部材２０の反射面２０ａ上の各部に入射する光の入射角度が変化する。すると、反射面２０ａ上の各部で反射される光Ｌ１の反射角度が変化し、反射面２０ａで反射して光出射口４１から出射する光Ｌ１の中心軸線Ｃに対する出射角度が変化する。これにより、光照射部材２０の反射面２０ａで反射して照射面に照射される光Ｌ１の照射面積が変化する。このように回転可動部４５を回転させて移動させるという簡単な操作により、照射面積を容易に縮小・拡大できる。
【００１５】
【考案の効果】
請求項１及び２の考案によれば、光源に発光ダイオードを用いているので、電球を用いた場合に比して光源の長寿命化及び省電力化を図ることができる。
しかも、光源に用いた発光ダイオードとして高輝度発光ダイオードを用いることにより発光部の輝度を高めつつ、その発光部からの直接光と光反射部材による反射光とを同じ照射面上に重ね合わされて照射することができる。従って、照射面の照度を高めることができるという効果がある。
【００１６】
特に、請求項２の考案によれば、光源又は光反射部材を上記中心軸線に沿って相対移動させるという簡単な操作により、光照射部材で反射して照射面に照射される光による照射面積が変化する。したがって、照射面積を容易に縮小・拡大できるという効果がある。
【図面の簡単な説明】
【図１】本考案の実施形態に係る携帯用照明装置の概略構成を示す断面図。
【図２】同携帯用照射装置で照射される光の経路を示す説明図。
【図３】変形例に係る携帯用照明装置の部分断面図。
【符号の説明】
１　　　携帯用照明装置
１０　　光源
１１　　高輝度発光ダイオード（ＬＥＤ）
１２　　発光部
２０　　光反射部材
２０ａ　反射面
３０　　電源
４０　　ケース部材
４１　　光出射口
４４　　ケース本体部
４５　　回転可動部
５０　　スプリング
【図１】
0003098589.tif 000003
【図２】
0003098589.tif 000004
【図３】
0003098589.tif 000005